(57)【要約】【課題】ヘッドマウントディスプレイ装置において、装置本体とケーブルとの連結部分を保護すること。【解決手段】  頭部装着帯１２０と、スピーカ１３０Ａ、１３０Ｂと、支持部１５０と、アーム部１６０と、表示部１７０と、を備える装置本体１１０に、ケーブル１９０を介して映像や音声の信号を伝送するヘッドマウントディスプレイ装置１００において、表示部１７０が頭部装着帯１２０と対向する位置にある場合に、アーム部１６０によりケーブル１９０とスピーカ１３０Ａとの間の連結部分を覆うことで、これらの間の連結部を保護する。【選択図】  図１
2008048194.tif 000002
【特許請求の範囲】
【請求項１】
表示部及びスピーカを備える装置本体と、当該装置本体に信号を伝送するケーブルと、を備えるヘッドマウントディスプレイ装置において、
一端側に前記スピーカが連結され、他端側に前記表示部が連結されたアーム部を備え、前記アーム部を前記スピーカに対して回動自在に連結することにより、前記アーム部の他端側に連結された表示部を、ユーザの眼前に配置する第一の位置と、ユーザの頭頂部又は当該頭頂部付近に配置する第二の位置と、に移動させることができるようにされており、
前記アーム部は、前記表示部が前記第二の位置にある場合に、前記ケーブル側に張り出すように形成されていること、
を特徴とするヘッドマウントディスプレイ装置。
【請求項２】
請求項１に記載のヘッドマウントディスプレイ装置において、
前記スピーカは、頭部装着帯の両端に連結されており、
前記第二の位置は、前記表示部と前記頭部装着帯とが対向する位置であること、
を特徴とするヘッドマウントディスプレイ装置。
【請求項３】
請求項１又は２に記載のヘッドマウントディスプレイ装置において、
前記ケーブルは、前記アーム部が連結されているスピーカに下方から連結されており、
前記アーム部は、前記表示部が前記第二の位置にある場合に、前記一端側の端部が、前記アーム部が連結されているスピーカの下方に張り出すように形成されていること、
を特徴とするヘッドマウントディスプレイ装置。
【請求項４】
請求項３に記載のヘッドマウントディスプレイ装置において、
前記ケーブルは、前記アーム部が連結されているスピーカにブッシュを介して連結されており、
前記アーム部は、前記表示部が前記第二の位置にある場合に、前記一端側の端部が、前記ブッシュの下方に張り出すように形成されていること、
を特徴とするヘッドマウントディスプレイ装置。
【請求項５】
請求項３又は４に記載のヘッドマウントディスプレイ装置において、
前記アーム部の前記一端側は、前記他端側よりも広い幅を有するように形成されていること、
を特徴とするヘッドマウントディスプレイ装置。
【請求項６】
請求項３乃至５の何れか一項に記載のヘッドマウントディスプレイ装置において、
前記アーム部の前記一端側には、前記ケーブルを着脱自在に嵌合する嵌合部が形成されていること、
を特徴とするヘッドマウントディスプレイ装置。
【請求項７】
請求項３乃至５の何れか一項に記載のヘッドマウントディスプレイ装置において、
前記アーム部の前記一端側には、前記ケーブルの動きを抑止するための抑止部が形成されていること、
を特徴とするヘッドマウントディスプレイ装置。
【請求項８】
請求項７に記載のヘッドマウントディスプレイ装置において、
前記抑止部は、環状に形成されており、その内側にケーブルを配置することができるようにされていること、
を特徴とするヘッドマウントディスプレイ装置。
【請求項９】
請求項１乃至８の何れか一項に記載のヘッドマウントディスプレイ装置において、
前記スピーカと、前記アーム部とは、前記アーム部の長手方向において摺動自在に連結されていること、
を特徴とするヘッドマウントディスプレイ装置。
【請求項１０】
請求項９に記載のヘッドマウントディスプレイ装置であって、
前記スピーカには、前記表示部が前記第二の位置にある場合に、前記アーム部の側方に位置する突起部が形成されており、
前記アーム部は、前記表示部が前記第二の位置にある場合に、前記スピーカに対して前記アーム部の長手方向の一方に摺動させることにより、前記突起部により回動が規制される第三の位置と、前記スピーカに対して前記アーム部の長手方向の他方に摺動させることにより、前記突起部による回動の規制から外れる第四の位置と、に移動させることができるようにされていること、
を特徴とするヘッドマウントディスプレイ装置。
【発明の詳細な説明】
【技術分野】
【０００１】
本発明は、ヘッドマウントディスプレイ装置に関する。
【背景技術】
【０００２】
ユーザの眼前で画像を表示する装置として、ヘッドマウントディスプレイ装置が従来から使用されている。
【０００３】
従来のヘッドマウントディスプレイ装置は、ディスプレイを先端に取り付けたアームが、ユーザの頭部に装着する頭部装着帯の両端に連結されているスピーカのいずれか一方に対して回動自在に取り付けられており、ディスプレイに表示される画像を見る場合には、ディスプレイを眼前の位置に回動させ、ディスプレイに表示される画像を一時的に見ない場合には、ディスプレイを眼前の位置からユーザの頭頂部に近い位置に回動させる（例えば、特許文献１参照）。
【０００４】
【特許文献１】特開２００４−８０６７９号公報
【発明の開示】
【発明が解決しようとする課題】
【０００５】
従来のヘッドマウントディスプレイ装置では、ディスプレイやスピーカ等を備える装置本体にケーブルを介して映像や音声を入力している。
【０００６】
しかしながら、装置本体とケーブルとの連結部分については、ケーブルを動かした際に負荷が掛かり、この連結部分が破損してしまうことがある。
【０００７】
そこで、本発明は、ヘッドマウントディスプレイ装置において、装置本体とケーブルとの連結部分を保護することを目的とする。
【課題を解決するための手段】
【０００８】
以上の課題を解決するため、本発明の請求項１に記載の発明は、表示部及びスピーカを備える装置本体と、当該装置本体に信号を伝送するケーブルと、を備えるヘッドマウントディスプレイ装置において、一端側に前記スピーカが連結され、他端側に前記表示部が連結されたアーム部を備え、前記アーム部を前記スピーカに対して回動自在に連結することにより、前記アーム部の他端側に連結された表示部を、ユーザの眼前に配置する第一の位置と、ユーザの頭頂部又は当該頭頂部付近に配置する第二の位置と、に移動させることができるようにされており、前記アーム部は、前記表示部が前記第二の位置にある場合に、前記ケーブル側に張り出すように形成されていること、を特徴とする。
【０００９】
また、請求項２に係る発明は、請求項１に記載のヘッドマウントディスプレイ装置において、前記スピーカは、頭部装着帯の両端に連結されており、前記第二の位置は、前記表示部と前記頭部装着帯とが対向する位置であること、を特徴とする。
【００１０】
また、請求項３に係る発明は、請求項１又は２に記載のヘッドマウントディスプレイ装置において、前記ケーブルは、前記アーム部が連結されているスピーカに下方から連結されており、前記アーム部は、前記表示部が前記第二の位置にある場合に、前記一端側の端部が、前記アーム部が連結されているスピーカの下方に張り出すように形成されていること、を特徴とする。
【００１１】
また、請求項４に係る発明は、請求項３に記載のヘッドマウントディスプレイ装置において、前記ケーブルは、前記アーム部が連結されているスピーカにブッシュを介して連結されており、前記アーム部は、前記表示部が前記第二の位置にある場合に、前記一端側の端部が、前記ブッシュの下方に張り出すように形成されていること、を特徴とする。
【００１２】
また、請求項５に係る発明は、請求項３又は４に記載のヘッドマウントディスプレイ装置において、前記アーム部の前記一端側は、前記他端側よりも広い幅を有するように形成されていること、を特徴とする。
【００１３】
また、請求項６に係る発明は、請求項３乃至５の何れか一項に記載のヘッドマウントディスプレイ装置において、前記アーム部の前記一端側には、前記ケーブルを着脱自在に嵌合する嵌合部が形成されていること、を特徴とする。
【００１４】
また、請求項７に係る発明は、請求項３乃至５の何れか一項に記載のヘッドマウントディスプレイ装置において、前記アーム部の前記一端側には、前記ケーブルの動きを抑止するための抑止部が形成されていること、を特徴とする。
【００１５】
また、請求項８に係る発明は、請求項７に記載のヘッドマウントディスプレイ装置において、前記抑止部は、環状に形成されており、その内側にケーブルを配置することができるようにされていること、を特徴とする。
【００１６】
また、請求項９に係る発明は、請求項１乃至８の何れか一項に記載のヘッドマウントディスプレイ装置において、前記スピーカと、前記アーム部とは、前記アーム部の長手方向において摺動自在に連結されていること、を特徴とする。
【００１７】
また、請求項１０に係る発明は、請求項９に記載のヘッドマウントディスプレイ装置であって、前記スピーカには、前記表示部が前記第二の位置にある場合に、前記アーム部の側方に位置する突起部が形成されており、前記アーム部は、前記表示部が前記第二の位置にある場合に、前記スピーカに対して前記アーム部の長手方向の一方に摺動させることにより、前記突起部により回動が規制される第三の位置と、前記スピーカに対して前記アーム部の長手方向の他方に摺動させることにより、前記突起部による回動の規制から外れる第四の位置と、に移動させることができるようにされていること、を特徴とする。
【発明の効果】
【００１８】
以上のように、本発明によれば、表示部を指示するアーム部により装置本体とケーブルとの連結部分がカバーされるため、装置本体とケーブルとの間の動きが制限され、当該連結部分が破損してしまうことを防止することができる。
【発明を実施するための最良の形態】
【００１９】
図１は、本発明の第一の実施形態であるヘッドマウントディスプレイ装置１００の斜視図である。
【００２０】
図示するようにヘッドマウントディスプレイ装置１００は、装置本体１１０と、コントローラ１８０と、ケーブル１９０と、を備えている。
【００２１】
そして、装置本体１１０は、頭部装着帯１２０と、スピーカ１３０Ａ、１３０Ｂと、表示回路部１４０と、支持部１５０と、アーム部１６０と、表示部１７０と、を備えている。
【００２２】
図示するように、本実施形態における頭部装着帯１２０は、帯状に形成されており、ユーザの頭部の形状に沿って、その長手方向において湾曲した形状に形成されている。
【００２３】
ここで、本実施形態においては、頭部装着帯１２０の長手方向の両端には、スピーカ１３０Ａ、１３０Ｂが設けられている。
【００２４】
そして、本実施形態における頭部装着帯１２０は、所定の弾性を有する材料で形成し、頭部装着帯１２０の長手方向における両端に形成されているスピーカ１３０Ａ、１３０Ｂの間隔をユーザの頭部の幅よりも小さくすることにより、ユーザの頭部に装着した際に、頭部装着帯１２０の両端に設けられているスピーカ１３０Ａ、１３０Ｂがユーザの頭部の内側の方向に付勢されて、ヘッドマウントディスプレイ装置１００をユーザの頭部に固定的に装着することができるようにしている。
【００２５】
また、本実施形態における頭部装着帯１２０は、図２（ヘッドマウントディスプレイ装置１００の回路構成を示す概略図）に示されているように、表示回路部１４０からスピーカ１３０Ａ、１３０Ｂに音声信号を供給する音声信号線Ｓ２を備えている。
【００２６】
スピーカ１３０Ａ、１３０Ｂは、ユーザの両方の耳に当てがわれて使用されるいわゆるヘッドホン用のスピーカであり、従来から使用されているものを使用すればよいため、説明を省略する。
【００２７】
ここで、本実施形態においては、図１の向かって右側のスピーカ１３０Ａに表示回路部１４０が設けられている。
【００２８】
図２に示されているように、表示回路部１４０には、後述する表示部１７０に備えられている表示デバイス１７１に画像信号を送る表示処理部１４１と、表示処理部１４１及び表示デバイス１７１に電力を供給する電源回路１４２と、後述するケーブル１９０を接続するためのケーブルコネクタ１４３と、が設けられている。
【００２９】
ケーブルコネクタ１４３は、後述するコントローラ１８０と、電力線Ｐ１、画像信号線Ｉ１、制御信号線Ｃ１及び音声信号線Ｓ１で接続されており、電力線Ｐ１から供給される電力は電源回路１４２に、画像信号線Ｉ１から供給される画像信号及び制御信号線Ｃ１から供給される制御信号は表示処理部１４１に、音声信号線Ｓ１から供給される音声信号はスピーカ１３０Ａ、１３０Ｂにそれぞれ送られる。
【００３０】
図１の向かって右側のスピーカ１３０Ａには、支持部１５０が形成されており、この支持部１５０を介してアーム部１６０が回動自在に連結されている。
【００３１】
例えば、図３（図１において表示部１７０が頭部装着帯１２０と対向する位置にある場合のＸ−Ｘ線における矢示方向から見た縦断面図）に示されているように、支持部１５０には、スピーカ１３０Ａの外側に向かって延びる円柱状の軸１５１が設けられており、この軸１５１を後述するアーム部１６０に形成されている円柱状の貫通孔１６１に挿入し、アーム部１６０の内側において軸１５１の先端にフランジ１５２を設けることで、支持部１５０とアーム部１６０とは回動自在に連結されている。
【００３２】
ここで、貫通孔１６１と軸１５１との間には、所定のフリクショントルクが発生するように、貫通孔１６１の内径と軸部材１５１の外径とを適宜設計することが望ましい。なお、貫通孔１６１と軸部材１５１との間に所定のフリクショントルクが発生するように、これらの間に摩擦部材を挟み込むことも可能である。
【００３３】
また、支持部１５０には、軸１５１の軸線と同じ方向に貫通孔１５３が形成されており、この貫通孔１５３を介して電力線Ｐ３及び画像信号線Ｉ３を有するケーブル１５４が表示回路部１４０からアーム部１６０に配線されている。
【００３４】
アーム部１６０は、その一端側が支持部１５０を介してスピーカ１３０Ａに回動自在に連結されており、その他端側の先端には、表示部１７０が連結されている。
【００３５】
ここで、アーム部１６０は、頭部装着帯１２０をユーザの頭部に装着した際に、アーム部１６０の先端に取り付けられている表示部１７０が、ユーザの顔の前に配置されるように所定の長さを有する棒状の部材で形成されており、また、表示部１７０の表示面がユーザの眼前に向くようにその長手方向において湾曲されている。
【００３６】
なお、図２に示されているように、アーム部１６０には、電源回路１４２から表示デバイス１６１に電力を供給するための電力線Ｐ３と、表示処理部１４１から表示デバイス１６１に画像信号を供給するための画像信号線Ｉ３と、が設けられている。
【００３７】
表示部１７０が連結されているアーム部１６０の反対側（支持部１５０に連結されている側）の端部１６２は、図３に示されているように、表示部１７０を頭部装着帯１２０に対向する位置にした際に、ケーブル１９０とスピーカ１３０Ａとを連結している部分よりもケーブル１９０側に張り出すように形成されている。
【００３８】
ここで、アーム部１６０の端部１６２を、ケーブル１９０とスピーカ１３０Ａとを連結している部分よりもどの程度ケーブル１９０側に張り出すように形成するかは、適宜選択することができる設計事項である。
【００３９】
なお、本実施形態では、ケーブル１９０とスピーカ１３０Ａとを固定的に連結するブッシュ１９１よりもアーム部１６０の端部１６２がケーブル１９０側に張り出すように形成している。
【００４０】
表示部１７０は、アーム部１６０の先端に回動自在に連結されており、表示部１７０は、図２に示されているように、表示処理部１４１から供給される画像信号に基づいて画像を表示する表示デバイス１７１と、表示デバイス１７１で表示された画像の放射方向を変える光学系１７２と、を有している。
【００４１】
コントローラ１８０は、スピーカ１３０Ａに設けられている表示回路部１４０にケーブル１９０を介して接続されており、ヘッドマウントディスプレイ装置１００全体の制御を行う。
【００４２】
本実施形態におけるコントローラ１８０は、図２に示されているように、外部からの画像信号を受信する画像信号受信端１８１と、外部からの音声信号を受信する音声信号受信端１８２と、ユーザが所定の指示を入力するための操作部１８３と、画像信号や音声信号を記憶しておく記憶部１８４と、音声信号を増幅するアンプ１８５と、操作部１８３を介して入力された指示に従って各部に送る制御信号を生成する制御部１８６と、主電源回路１８７と、を備えている。
【００４３】
なお、図１のように表示部１７０とスピーカ１３０Ａ、１３０Ｂを配置した場合には、表示部１７０がユーザの左目の眼前に置かれ、スピーカ１３０Ａがユーザの左耳に当てがわれ、スピーカ１３０Ｂがユーザの右耳に当てがわれるようになるが、例えば、表示部１７０をアーム部１６０とともに支持部１５０に対してほぼ１８０度回動させることで、表示部１７０がユーザの右目の眼前に置かれ、スピーカ１３０Ａがユーザの右耳に当てがわれ、スピーカ１３０Ｂがユーザの左耳に当てがわれるようにすることも可能である。
【００４４】
このような場合には、表示部１７０に表示する画像の上下と、スピーカ１３０Ａ、１３０Ｂに送る音声信号の左右と、を反転させる必要があるが、本実施形態においては、このような反転指示をユーザがコントローラ１８０の操作部１８３に入力することで、制御部１８６が画像信号の上下と音声信号の左右を反転させるようにしている。
【００４５】
以上のように構成される本実施形態におけるヘッドマウントディスプレイ装置１００では、表示部１７０を頭部装着帯１２０に対向する位置にした場合に、アーム部１６０の端部１６２を、ケーブル１９０とスピーカ１３０Ａとを連結している部分よりもケーブル１９０側に張り出すように形成しているため、表示部１７０を頭部装着帯１２０に対向する位置にしてヘッドマウントディスプレイ装置１００を持ち運ぶ際に、アーム部１６０の端部１６２側がケーブル１９０とスピーカ１３０Ａとの連結部分を覆い、この部分によりケーブル１９０の動きが制限され、この連結部分を保護することができるようになる。
【００４６】
なお、図４（表示部１７０が頭部装着帯１２０に対向する位置にある場合のスピーカ１３０Ａ及びアーム部１６０の下面図）に示されているように、アーム部１６０のケーブル１９０に対向する面１６３には、ケーブル１９０を嵌合することができる嵌合部１６４を設けることも可能である。
【００４７】
嵌合部１６４の構成については、ケーブル１９０を着脱自在に嵌合することができるものであればどのようなものであってもよいが、例えば、図４に示されているように、ケーブル１９０に向かって開口した凹部１６５を備え、この凹部１６５の最大幅Ｄがケーブル１９０の直径よりも小さくなるようにすることで、この凹部１６５の内側にケーブル１９０を嵌合することができるようにすればよい。
【００４８】
なお、この嵌合部１６４については、面１６３ではなく端部１６２に形成し、その凹部１６５を端部１６２から下方に向かって開口するように形成することも可能である。
【００４９】
また、図５（ヘッドマウントディスプレイ装置１００の斜視図）に示されているように、アーム部１６０の端部１６２側の幅が広くなるようにすることで、この幅の広くされた端部１６２側のアーム部１６０により、ケーブル１９０の動きをより制限することができるようになる。
【００５０】
なお、アーム部１６０のケーブル１９０に対向する面については、ケーブル１９０に向かって凹となるような曲面にすることも可能である。
【００５１】
さらに、図６（ヘッドマウントディスプレイ装置１００の斜視図）に示されているように、アーム部１６０のケーブル１９０に対向する面１６３には、ケーブル１９０の動きを抑止するための抑止部１６６を設けることも可能である。
【００５２】
抑止部１６６については、ケーブル１９０の長手方向（ケーブル１９０の軸線方向）における動きは制限しないが、幅方向（ケーブル１９０の軸線に交差する方向）への動きを所定の範囲で制限するものであればどのようなものであってもよいが、例えば、図７（表示部１７０が頭部装着帯１２０に対向する位置にある場合のスピーカ１３０Ａ及びアーム部１６０の下面図）に示されているように、ケーブル１９０の軸線に方向に開口した環状に形成することが可能である。
【００５３】
このように環状に形成した場合には、環状に形成された抑止部１６６の内径がケーブル１９０の外径よりも大きくなるように形成することで、環状の抑止部１６６により、ケーブル１９０の長手方向における動きは制限されないが、ケーブル１９０の幅方向への動きは、この環状の抑止部１６６の内側に制限される。
【００５４】
このような抑止部１６６を設けることで、ケーブル１９０の動きが制限されるため、ケーブル１９０とスピーカ１３０Ａとの連結部分が破損してしまうことがなくなる。
【００５５】
なお、この抑止部１６６については、面１６３ではなく端部１６２に形成することも可能であり、このような場合には、ケーブル１９０の軸線に対して交差する方向に開口する環状部材として形成すればよい。
【００５６】
また、抑止部１６６については、環状に限定されるわけではなく、例えば、一端が開放端にされたフックにより形成することも可能である。
【００５７】
図８は、本発明の第二の実施形態であるヘッドマウントディスプレイ装置２００の斜視図である。
【００５８】
本実施形態に係るヘッドマウントディスプレイ装置２００は、第一のヘッドマウントディスプレイ装置１００と比較して、支持部２５０及びアーム部２６０が異なっており、また、図８の向かって右側のスピーカ２３０Ａに突起部２３１が設けられているため、以下これらに関連する事項について説明する。
【００５９】
本実施形態における支持部２５０は、図９（図８のＹ−Ｙ線における矢示方向から見た断面図）に示されているように、第一の軸２５２と、第一の軸２５２の軸線に直交する方向に軸線を有する第二の軸２５３と、を備えている。
【００６０】
そして、支持部２５０は、第一の軸２５２をスピーカ２３０Ａの貫通孔２３３に挿入し、スピーカ２３０Ａの内側において該第一の軸２５２の先端にフランジ２５４を取り付けることにより、スピーカ２３０Ａに対して回動自在に連結されている。
【００６１】
また、支持部２５０は、第二の軸２５３に回動自在に連結されている摺動部材２５５をアーム部２６０の内側の空間２６７に挿入することで、アーム部２６０を第二の軸２５３に対して回動自在に連結している。
【００６２】
従って、このような支持部２５０を介して連結されているスピーカ２３０Ａとアーム部２６０については、第一の軸２５２を介して、表示部１７０を上下方向に移動させることができ、また、第二の軸２５３を介して、表示部１７０を左右方向に移動させることができるようにされている。
【００６３】
第二の軸２５３に回動自在に連結されている摺動部材２５５は、アーム部２６０の内側の空間２６７において、アーム部２６０の長手方向に摺動自在にされている。
【００６４】
例えば、図１０（図９のＺ−Ｚ線における矢示方向から見た断面図）に示されているように、アーム部２６０のスピーカ２３０Ａに対向する面２６８には、アーム部２６０の長手方向に延びる開口部２６９が設けられており、この開口部２６９の幅Ｅは、支持部２５０の幅Ｆよりも大きく、摺動部材２５５の幅Ｇよりも小さくされている。
【００６５】
そして、摺動部材２５５の大きさ・形状をアーム部２６０の内部の空間２６７に合わせて形成することにより、この摺動部２５５をアーム部２６０の内部においてアーム部２６０の長手方向に摺動させることができるようになる。
【００６６】
そして、このように、摺動部２５５をアーム部２６０の内部において摺動自在に形成することで、例えば、図１１（図８のＹ−Ｙ線における矢示方向から見た断面図）に示されているように、スピーカ２３０Ａに対してアーム部２６０を上方に移動させた位置において（後述する突起部２３１により回動が制限されなくなる位置において）、ヘッドマウントディスプレイ装置２００を使用し、このヘッドマウントディスプレイ装置２００を収納する場合には、図１２（図８のＹ−Ｙ線における矢示方向から見た断面図）に示されているように、スピーカ２３０Ａに対してアーム部２６０を下方に移動させた位置において（後述する突起部２３１により回動が制限される位置において）、アーム部２６０によって、ケーブル１９０及びブッシュ１９１をカバーするようにすることが可能となる。
【００６７】
また、本実施形態においては、スピーカ２３０Ａのアーム部２６０に対向する面２３２に、外側に向かって突起する突起部２３１が設けられている。
【００６８】
突起部２３１は、図１３（表示部１７０が頭部装着帯１２０に対向する位置にある場合のスピーカ２３０Ａ及びアーム部２６０の下面図）に示されているように、表示部１７０が頭部装着帯１２０に対向する位置にある場合に、アーム部２６０の両側方に位置しており、突起部２３１の高さＨが、アーム部２６０とスピーカ２３０Ａとの間の距離Ｉよりも大きくなるようにすることで、この突起部２３１により第一の軸２５２を介したアーム部２６０の回動を制限することができるようにされている。
【００６９】
なお、図１１に示されているように、スピーカ２３０Ａに対してアーム部２６０を上方に移動させた場合に、アーム部２６０の端部２６２が、突起部２３１よりも上方に位置するようにすることで、アーム部２６０は、突起部２３１の制限から外れ、第一の軸２５２を介して回動させることができるようになる。
【００７０】
この点、図１４に示されているように、アーム部２６０を第二の軸２５３において頭部装着帯１２０の方向に回動させることにより、アーム部２６０を突起部２３１の制限から外れるようにすることも可能である。
【００７１】
以上のように本実施形態を構成したので、スピーカ２３０Ａに対してアーム部２６０を上下に移動させることができるようにされているため、ヘッドマウントディスプレイ装置２００を持ち運ぶ場合には、表示部１７０を頭部装着帯１２０に対向した位置において、アーム部２６０を下方に移動させることにより、ケーブル１９０とスピーカ２３０Ａとの間の連結部分を保護することができ、さらに、突起部２３１により、アーム部２６０の回動が制限されるため、より確実にケーブル１９０とスピーカ２３０Ａとの間の連結部分を保護することができる。
【００７２】
なお、以上に記載した実施形態においては、いわゆるオーバヘッドタイプのヘッドマウントディスプレイ装置を例に説明したが、例えば、図１５に示すリアマウントタイプのヘッドマウントディスプレイ装置３００においても本発明を適用することができる。
【００７３】
このような場合には、頭部装着帯３２０は、ユーザの後頭部付近に配置されるため、表示部１７０がユーザの頭頂部又は頭頂部付近にあるような場合に、アーム部３６０の端部側３６２がケーブル１９０の方向に張り出して、ケーブル１９０とスピーカ３３０Ａとの間の連結部分を保護することができるようにすればよい。
【図面の簡単な説明】
【００７４】
【図１】第一の実施形態であるヘッドマウントディスプレイ装置１００の斜視図。
【図２】ヘッドマウントディスプレイ装置１００の回路構成を示す概略図。
【図３】図１において表示部１７０が頭部装着帯１２０と対向する位置にある場合のＸ−Ｘ線における矢示方向から見た縦断面図。
【図４】表示部１７０が頭部装着帯１２０に対向する位置にある場合のスピーカ１３０Ａ及びアーム部１６０の下面図。
【図５】ヘッドマウントディスプレイ装置１００の斜視図。
【図６】ヘッドマウントディスプレイ装置１００の斜視図。
【図７】表示部１７０が頭部装着帯１２０に対向する位置にある場合のスピーカ１３０Ａ及びアーム部１６０の下面図。
【図８】第二の実施形態であるヘッドマウントディスプレイ装置２００の斜視図。
【図９】図８のＹ−Ｙ線における矢示方向から見た断面図。
【図１０】図９のＺ−Ｚ線における矢示方向から見た断面図。
【図１１】図８のＹ−Ｙ線における矢示方向から見た断面図。
【図１２】図８のＹ−Ｙ線における矢示方向から見た断面図。
【図１３】表示部１７０が頭部装着帯１２０に対向する位置にある場合のスピーカ２３０Ａ及びアーム部２６０の下面図。
【図１４】図８のＹ−Ｙ線における矢示方向から見た断面図。
【図１５】リアマウントタイプのヘッドマウントディスプレイ装置３００の斜視図。
【符号の説明】
【００７５】
１００，２００，３００：ヘッドマウントディスプレイ装置、１１０，２１０：装置本体、１２０：頭部装着帯、１３０，２３０：スピーカ、１４０，２４０：表示回路部、１５０，２５０：支持部、１６０，２６０：アーム部、１７０：表示部、１８０：コントローラ、１９０：ケーブル
【図１】
2008048194.tif 000003
【図２】
2008048194.tif 000004
【図３】
2008048194.tif 000005
【図４】
2008048194.tif 000006
【図５】
2008048194.tif 000007
【図６】
2008048194.tif 000008
【図７】
2008048194.tif 000009
【図８】
2008048194.tif 000010
【図９】
2008048194.tif 000011
【図１０】
2008048194.tif 000012
【図１１】
2008048194.tif 000013
【図１２】
2008048194.tif 000014
【図１３】
2008048194.tif 000015
【図１４】
2008048194.tif 000016
【図１５】
2008048194.tif 000017